(57)【要約】【課題】見栄えを確保しつつ、直下方向の照度を効率よく向上できる電球形ランプおよび照明器具を提供する。【解決手段】グローブ25は、第１グローブ部65と、第２グローブ部66とを備える。第１グローブ部65は、基体21のグローブ取付部36に取り付けられる一端部65a、および、この一端部65aの反対側に位置し、この一端部65a以下の肉厚に形成された他端部65bを有する。第２グローブ部66は、第１グローブ部65の他端部65bと接続される一端部66a、および、この一端部66aよりも肉厚が薄く形成された頂部となる他端部66bを有する。【選択図】図１
2014123522.tif 000002
【特許請求の範囲】
【請求項１】
一端側に開口するように内部に設けられた凹部と、取付面を有し、他端側に設けられた光源取付部と、この光源取付部の外端に取付面に対して一端側に凹設されたグローブ取付部とを備えた基体と；
基板と、この基板の一面に実装された光源とを備え、光源取付部に基板の他面が面するように配置された発光モジュールと；
凹部の内部に収納された点灯回路と；
基体の一端側に設けられた口金と；
基体のグローブ取付部に取り付けられる一端部、および、この一端部の反対側に位置し、この一端部以下の肉厚に形成された他端部を有する第１グローブ部と、この第１グローブ部の他端部と接続される一端部、および、この一端部よりも肉厚が薄く形成された頂部となる他端部を有する第２グローブ部とを備えたグローブと；
を具備していることを特徴とする電球形ランプ。
【請求項２】
第１グローブ部は、他端部から一端部へと肉厚が大きくなるように設けられているとともに、一端部から他端部へと徐々に径方向に膨らむように拡径した湾曲形状である
ことを特徴とする請求項１記載の電球形ランプ。
【請求項３】
第１グローブ部の他端部は、発光モジュールの光源からの光と交差しない位置に配置されている
ことを特徴とする請求項１または２記載の電球形ランプ。
【請求項４】
第１グローブ部の他端部は、発光モジュールの基板の一面から最も突出する部材よりも第２グローブ部寄りに配置されている
ことを特徴とする請求項１ないし３いずれか一記載の電球形ランプ。
【請求項５】
第２グローブ部の他端部の肉厚は、第１グローブ部のグローブ取付部に対向する位置の肉厚の１／２以下に設定されている
ことを特徴とする請求項１ないし４いずれか一記載の電球形ランプ。
【請求項６】
グローブは、拡散材が混入されて白色を呈するポリカーボネートからなり、
第１グローブ部は、一端部の肉厚が２．０〜２．５ｍｍ、他端部の肉厚が１．４〜２．０ｍｍであり、
第２グローブ部は、一端部の肉厚が１．４〜２．０ｍｍ、他端部の肉厚が０．９〜１．２ｍｍである
ことを特徴とする請求項１ないし５いずれか一記載の電球形ランプ。
【請求項７】
ソケットを有する器具本体と；
ソケットに装着される請求項１ないし６いずれか一記載の電球形ランプと；
を具備していることを特徴とする照明器具。
【発明の詳細な説明】
【技術分野】
【０００１】
本発明の実施形態は、グローブを有する電球形ランプおよびこれを備えた照明器具に関する。
【背景技術】
【０００２】
従来、発光素子としてＬＥＤ素子を用いた電球形ランプは、金属製の放熱体である基体を備え、この基体の一端側の配置部としての取付面にＬＥＤチップなどを備えた発光部を実装した発光モジュールを配置するとともに、基体の一端にこの発光モジュールを覆う透光性のグローブを取り付けている。さらに、電球形ランプは、基体内に配置される絶縁ケースを備え、この絶縁ケース内に点灯回路を収容し、絶縁ケースの他端に口金を取り付けている。
【０００３】
グローブを基体に対して取り付ける際には、このグローブの端部に形成した係止爪部を基体の一端側の外周に形成したグローブ取付部に嵌合させる。このため、基体は、発光モジュールを配置する取付面の位置がグローブ取付部に対してグローブ内へと突出した位置となる。
【先行技術文献】
【特許文献】
【０００４】
【特許文献１】特開２００６−３１３７１７号公報
【特許文献２】特開２０１２−３９３３号公報
【特許文献３】特開２０１２−１３４１１５号公報
【発明の概要】
【発明が解決しようとする課題】
【０００５】
しかしながら、発光モジュールを配置する取付面の位置がグローブ内へと突出したことによって、ランプを側面から見たときに、グローブを介してグローブ取付部が見え、見栄えが悪いという問題が生じている。したがって、このようなグローブ取付部がグローブを介して外部から目視されないように、グローブの肉厚は一般的に厚く形成される。一方で、例えばダウンライト用途の電球形ランプの場合には、配光を絞り、直下方向の照度を高めることが求められる。この場合、グローブの肉厚が厚いと、発光部から発せられた光が拡散され、充分な照度を得ることが容易でない。したがって、取付部が外部から目視されないようにしつつ、直下方向の照度を高める構成が望まれている。
【０００６】
本発明が解決しようとする課題は、見栄えを確保しつつ、光軸方向の照度を効率よく向上できる電球形ランプおよびこれを備えた照明器具を提供することである。
【課題を解決するための手段】
【０００７】
実施形態の電球形ランプは、基体、発光モジュール、点灯回路、口金、およびグローブを具備する。基体は、凹部と、光源取付部と、グローブ取付部とを備える。凹部は、一端側に開口するように基体の内部に設けられている。光源取付部は、取付面を有し、他端側に設けられている。グローブ取付部は、光源取付部の外端に取付面に対して一端側に凹設されている。発光モジュールは、基板と、この基板の一面に実装された光源とを備え、光源取付部に基板の他面が面するように配置されている。点灯回路は、凹部の内部に収納されている。口金は、基体の一端側に設けられている。グローブは、第１グローブ部と、第２グローブ部とを備える。第１グローブ部は、基体のグローブ取付部に取り付けられる一端部、および、この一端部の反対側に位置し、この一端部以下の肉厚に形成された他端部を有する。第２グローブ部は、第１グローブ部の他端部と接続される一端部、および、この一端部よりも肉厚が薄く形成された頂部となる他端部を有する。
【発明の効果】
【０００８】
本発明によれば、電球形ランプの見栄えを確保しつつ、光軸方向の照度を効率よく向上できる。
【図面の簡単な説明】
【０００９】
【図１】一実施形態の電球形ランプの断面図である。
【図２】同上電球形ランプの一部の平面図である。
【図３】同上電球形ランプの側面図である。
【図４】同上電球形ランプを用いた照明器具の斜視図である。
【図５】同上電球形ランプの配光図である。
【発明を実施するための形態】
【００１０】
以下、一実施形態の構成を図１ないし図５を参照して説明する。
【００１１】
図４に示すように、照明器具11は、ダウンライトなどの埋込形照明器具であり、天井板などに設けられた円形の埋込孔に埋め込まれて設置される。この照明器具11は、器具本体12、この器具本体12に取り付けられたソケット13、およびソケット13に着脱可能に装着される電球形ランプ14などを備えている。
【００１２】
まず、電球形ランプ14について説明する。この電球形ランプ14は、図１ないし図３に示すように、金属製の放熱体である基体21、この基体21に取り付けられた発光モジュール22および絶縁性を有する絶縁カバー23、この絶縁カバー23に取り付けられた口金24、発光モジュール22を覆って基体21に取り付けられた透光性を有するグローブ25、および基体21と口金24との間で絶縁カバー23の内側に収納された点灯回路26を備えている。なお、以下、電球形ランプ14については、特記しない限り、一端側(電球形ランプ14のランプ軸(光軸)の一端側)を図１中の下側、他端側(電球形ランプ14のランプ軸(光軸)の他端側)を図１中の上側として説明する。
【００１３】
基体21は、熱伝導性が優れた例えばアルミニウムなど金属材料によって一体形成されており、一端側に開口した凹部28を中央部に有する有蓋円筒状に形成されている。この基体21は、一端側から他端側へと外径寸法が徐々に大きくなるように形成されており、グローブ25と組み合わせた際に電球形の形状に近似するように構成されている。
【００１４】
また、基体21の他端側には、発光モジュール22が取り付けられる平面状の配置面としての取付面31aを有する光源取付部31が形成されている。この光源取付部31には、発光モジュール22をねじ止めするための図示しない複数の取付孔であるねじ止め孔、点灯回路26と発光モジュール22側とを電気的に接続するコネクタやリード線を通すための径方向に沿って長手方向を有する長孔状の配線孔33、および、基体21の凹部28内に配置した絶縁カバー23をねじ止めするための複数の取付孔34がそれぞれ取付面31aを貫通して形成されている。
【００１５】
また、基体21の他端側の周縁部、すなわち光源取付部31の外端には、グローブ25を取り付ける環状の取付部としてのグローブ取付部36が一端側に凹設されている。すなわち、このグローブ取付部36は、取付面31aに対して基体21の一端側に段差状に窪んでおり、かつ、基体21の外周に開口している。換言すれば、取付面31aは、グローブ取付部36に対して他端側に突出している。このグローブ取付部36の内周部には、全周に亘って係止溝37が形成されている。
【００１６】
次に、発光モジュール22は、例えばアルミニウムなどの金属材料やセラミックなどの絶縁材料で形成された略四角形状の基板41、およびこの基板41の一端側の一面である実装面41aに配置された光源としての複数の発光部42を有している。この発光モジュール22は、基板41が複数のねじ43により基体21の光源取付部31(取付面31a)に対して他端側の他面41bが面するように、例えば任意の構成により絶縁された状態で熱的に接続されて取り付け固定されている。
【００１７】
各発光部42は、基板41の実装面41a上に例えば仮想的な同心円に沿って互いに離間されて実装された、例えば図示しない接続端子付きのＳＭＤ(Surface Mount Device)である。これら発光部42は、扁平な薄型の直方体状に設けられている。また、これら発光部42は、例えば発光素子(固体発光素子)としての半導体発光素子であるＬＥＤ素子すなわちＬＥＤチップが搭載されて接続端子と電気的に接続されているとともに、これらＬＥＤチップが蛍光部としての封止樹脂により封止されている。ここで、例えばＬＥＤチップは青色光を発し、封止樹脂はＬＥＤチップが発した青色光によって励起されて主に黄色光を発する蛍光体を含有したシリコーン樹脂などの透明樹脂である。したがって、発光部42の表面である封止樹脂の表面が発光面となり、この発光面から白色系の照明光が放射される。なお、発光部42は、例えば基板41の実装面41a上にマトリクス状などに実装された複数のＬＥＤチップ全体を土手状の囲み部により囲み、この囲み部の内側に封止樹脂によって充填した、いわゆるＣＯＢ(Chip On Board)モジュールでもよい。
【００１８】
基板41の実装面41aには、基板41に対して絶縁状態で図示しない配線パターンが形成され、この配線パターンに、各発光部42の接続端子がそれぞれ接続されているとともに、基板41上の中央部近傍に実装されるコネクタ51が接続されている。このコネクタ51は、例えば扁平な薄型の直方体状に設けられ、各発光部42よりも基板41の実装面41aから突出している。本実施形態では、このコネクタ51は、各発光部42よりも厚みが大きく設けられており、発光モジュール22中で基板41の実装面41aから最も突出する部材である最突出部材となっている。基板41の隅部には、ねじ43が挿通される挿通孔52が形成されている。
【００１９】
絶縁カバー23は、例えばＰＢＴ樹脂などの絶縁材料により、両端が開口した円筒状に形成されている。絶縁カバー23の一端側の外周部には、基体21と口金24との間に介在して互いの間を絶縁する環状の鍔部55が形成され、この鍔部55より一端側で口金24を螺着して取り付けるためのねじ山を有する螺合部56が形成されている。絶縁カバー23の他端側には、取付孔34と位置合わせされて取り付けられる取付孔部57が形成されている。
【００２０】
口金24は、例えば、Ｅ１７形やＥ２６形などの一般照明電球用のソケットに接続可能なもので、絶縁カバー23の螺合部56に螺合されて固定されるシェル61、このシェル61の他端側に設けられる絶縁部62、およびこの絶縁部62の頂部に設けられるアイレット63を有している。したがって、この口金24は、絶縁カバー23に取り付けられて基体21の一端側に位置している。
【００２１】
グローブ25は、例えばポリカーボネートなどの透光性を有する合成樹脂中に所定の拡散材を混入することで白色に形成されており、互いに別体の第１グローブ部65と第２グローブ部66とを一体的に接合(溶着)して半球面形状に形成されている。
【００２２】
第１グローブ部65は、グローブ25の径寸法がランプ軸と直交する方向に最大となる部分、いわゆる赤道位置よりも基体21側である一端側を構成し両端が開口した略円筒状の部分である。すなわち、この第１グローブ部65は、一端部65aから他端部65bへと、徐々に拡径して径方向に膨らんで湾曲し、他端部65bで内径が最大になっている。また、この第１グローブ部65は、一端部65aがグローブ取付部36に取り付けられて例えば接着剤などにより固定され、他端部65bが第２グローブ部66と接続される。したがって、この第１グローブ部65の一端部65aは、グローブ取付部36の側方および発光モジュール22の基板41の外縁部に対向して基体21の取付面31aの外縁に位置している。換言すれば、第１グローブ部65において、一端部65aがグローブ取付部36および発光モジュール22(基板41)の外縁部に最も近接して位置しており、他端部65bに接近するほど、外方(径方向)およびランプ軸方向に離間されている。
【００２３】
第１グローブ部65の一端部65aには、グローブ取付部36の係止溝37に挿入係止される被係止部としての係止爪部71がランプ軸と交差(直交)する方向に沿って中心軸方向に向けて突設されている。また、この第１グローブ部65の一端部65aには、第２グローブ部66と一体的に接続される前の状態で、図示しない溝部が他端側に向けて開口して全周に連続して、または断続的に複数箇所に設けられている。
【００２４】
第１グローブ部65の他端部65bは、発光モジュール22の発光部42から発せられた光(図１中の想像線L1，L1間の範囲)と交差しない位置、すなわちこの発光モジュール22の発光部42から発せられた光よりも一端側(図１中の下側)で、かつ、発光モジュール22に実装されている部材中で基板41の実装面41aから最も突出している部材、本実施形態ではコネクタ51の先端部の位置(図１中の想像線L2)よりも他端側(図１中の上側)に位置している。したがって、この第１グローブ部65は、発光部42から発せられた光が殆ど透過せず、配光に寄与しない部分となっている。なお、想像線L1と基板41の表面とがなす角度は、例えば４０°である。すなわち、発光部42の光の広がり角は、１００°である。発光部42は、光の広がり角が８５〜１１５°のものが使用に適している。
【００２５】
そして、第１グローブ部65は、一端部65aが少なくとも他端部65b以上の肉厚であり、本実施形態では第２グローブ部66と接続される他端部65bからグローブ取付部36と対向する一端部65aへと肉厚が徐々に大きくなるように設けられている。例えば、この第１グローブ部65の他端部65bの肉厚は、１．４〜２．０ｍｍ程度、好ましくは１．５ｍｍ程度の肉厚となっている。また、この第１グローブ部65の一端部65aの肉厚は、２．０〜２．５ｍｍ程度、好ましくは２．３ｍｍ程度の肉厚となっている。
【００２６】
また、この第１グローブ部65は、発光モジュール22に実装されている部材中で基板41の実装面41aから最も突出している部材、本実施形態ではコネクタ51の先端部の位置(図１中の想像線L2)の肉厚が、少なくとも１．５ｍｍ以上となるように設定されている。
【００２７】
さらに、この第１グローブ部65は、第２グローブ部66よりも透過率が小さく設定され、例えば透過率が０％〜６０％程度となっている。この透過率の相違は、例えば第１グローブ部65と第２グローブ部66との材質を互いに異ならせることで生じさせてもよいし、第１グローブ部65を構成する材質と第２グローブ部66を構成する材質とのそれぞれに混入する拡散材の割合を異ならせることで生じさせてもよい。
【００２８】
第２グローブ部66は、グローブ25の赤道位置よりも反基体21側である他端側を構成する半球面状の部分である。すなわち、この第２グローブ部66は、一端部66aから電球形ランプ14のランプ軸と交差する頂部である他端部66bへと、徐々に縮径した半球(ドーム)状となっている。この第２グローブ部66は、一端部66aが第１グローブ部65の他端部65bと例えば振動溶着などによって溶着されて接続されており、発光モジュール22を覆っている。
【００２９】
第２グローブ部66の一端部66aには、第１グローブ部65と一体的に接続される前の状態で、図示しない突起部が一端側に向けて全周に連続して、または断続的に複数箇所に突設されている。この突起部は、第１グローブ部65の溝部と嵌合され、振動溶着時に一旦溶融して溝部に充填されるとともに、固化して第１グローブ部65と第２グローブ部66とを継ぎ目なく接続固定するビードとなる部分である。
【００３０】
そして、この第２グローブ部66は、一端部66aから他端部66bへと肉厚が徐々に小さくなるように設けられている。すなわち、グローブ25は、第１グローブ部65の一端部65aが最も肉厚が大きい部分で、第２グローブ部66の他端部66bが最も肉厚が小さい部分となっており、第１グローブ部65の一端部65aから第２グローブ部66の他端部66bへと徐々に肉厚が小さくなるように設定されている。第２グローブ部66の一端部66aの肉厚は、第１グローブ部65の他端部65bと略同一の肉厚に設定され、例えば１．４〜２．０ｍｍ程度、好ましくは１．５ｍｍ程度の肉厚でとなっている。また、第２グローブ部66の他端部66bの肉厚は、０．９〜１．２ｍｍ程度、好ましくは１．０ｍｍ程度の肉厚となっている。すなわち、この第２グローブ部66の他端部66bの肉厚は、グローブ取付部36に対向する第１グローブ部65の一端部65aの肉厚の１／２以下に設定されているとともに、所定の法規などに規定された強度を満たす肉厚となっている。また、この第２グローブ部66は、発光モジュール22の発光部42から発せられた光(図１中の想像線L1，L1間の範囲)と交差する位置を覆っており、発光部42から発せられた光全体が透過することで、この光を配光する部分となっている。
【００３１】
なお、第１グローブ部65および第２グローブ部66の各位置での肉厚とは、これらの位置における内周側と外周側との最短距離をいうものとする。
【００３２】
点灯回路26は、発光モジュール22の発光部42(ＬＥＤチップ)に対して定電流を供給する回路であり、回路を構成する複数の回路素子が実装された回路基板75を有している。この点灯回路26は、回路基板75が絶縁カバー23に軸方向に沿って差し込まれて絶縁カバー23内に収納されている。点灯回路26の入力側には、口金24のシェル61およびアイレット63がリード線で電気的に接続されている。点灯回路26の出力側には先端にコネクタ76を有するリード線77が電気的に接続されている(図２)。
【００３３】
次に、図４に示すように、器具本体12は、下方へ向けて拡開開口された反射体81、この反射体81の上部に取り付けられた取付体82、および反射体81に設けられた天井取付用の複数の取付ばね83などを備えている。反射体81は上端および下端が開口した円筒状に形成され、上部から下部へと徐々に拡開している。取付体82は、下端側が開口した角筒状となっており、上端の下部にソケット13が設けられているとともに、上端の上部に、外部電源と電気的に接続される端子台84が設けられている。
【００３４】
ソケット13は、円筒状に形成され、取付体82に図４中の下方に向けて開口するように取り付けられて反射体81の図４中の上方に対向している。このソケット13の内周面には、電球形ランプ14の口金24をねじ込む図示しないねじ溝部が設けられており、このねじ溝部により、ソケット13に電球形ランプ14を着脱可能に取り付けることができる。このソケット13の内部には、図示しない端子がそれぞれ配置され、これら一対の端子には端子台84を通じて外部電源が供給される。
【００３５】
次に、一実施形態の電球形ランプ14の組み立て手順を説明する。
【００３６】
まず、グローブ25は、例えば射出成形などにより予め形成した第１グローブ部65と第２グローブ部66とを、所定の治具によって支持し、第１グローブ部65の溝部に第２グローブ部66の突起部を押し当てながら超音波振動を与えるなどして突起部を溶融させ、第１グローブ部65と第２グローブ部66とを互いに溶着固定して形成する。
【００３７】
このように形成したグローブ25は、第２グローブ部66の他端部66bから第１グローブ部65の一端部65aへと、略段差なく滑らかに連続して半球状となる。
【００３８】
次に、点灯回路26を絶縁カバー23内に挿入固定し、出力用のリード線77およびコネクタ76を絶縁カバー23の外側に引き出す。さらに、この絶縁カバー23を基体21の凹部28に対して挿入し、基体21の一端から突出する絶縁カバー23の螺合部56に対して口金24を螺合して取り付ける。このとき、点灯回路26の入力用の一方のリード線を口金24のアイレット63に接続し、入力用の他方のリード線を口金24のシェル61に接続させる。
【００３９】
次いで、基体21の光源取付部31の取付面31aに、発光部42およびコネクタ51を基板41に実装した発光モジュール22を載置して基板41の挿通孔52と基体21のねじ止め孔とを位置合わせし、螺着したねじ43を締め付けて発光モジュール22を基体21の取付面31aに取り付け固定して熱的に接続する。
【００４０】
さらに、配線孔33から引き出された点灯回路26の出力用のリード線77の先端のコネクタ76を、発光モジュール22のコネクタ51に接続する。
【００４１】
この後、基体21のグローブ取付部36および係止溝37にシリコーン樹脂やセメントなどの接着剤を塗布し、予め形成したグローブ25の第１グローブ部65の係止爪部71を係止溝37に嵌合させつつ、この第１グローブ部65の一端部65aをグローブ取付部36に接着固定する。この結果、基体21とグローブ25とが互いに軸方向に位置合わせされた状態で互いに固定される。
【００４２】
次に、電球形ランプ14の作用効果を説明する。
【００４３】
完成した電球形ランプ14は口金24を照明器具11のソケット13に装着する。電源線から端子台84、ソケット13の端子および電球形ランプ14の口金24を通じて点灯回路26に給電されると、点灯回路26から発光モジュール22の各発光部42のＬＥＤチップに点灯電力を供給し、これらＬＥＤチップが点灯する。ＬＥＤチップの点灯によって発光部42から放射される光が、グローブ25の第２グローブ部66を透過して外部に放射され、器具本体12の反射体81の下面開口から出射される。
【００４４】
発光モジュール22の複数のＬＥＤチップの点灯時に発生する熱は、主に、基板41に熱伝導されるとともにこの基板41から基体21に熱伝導され、基体21の表面、および、この基体21に取り付けられたグローブ25の表面などから空気中に放熱される。
【００４５】
このように、電球形ランプ14においては、グローブ25の基体21への取付性を考慮すると、グローブ取付部36を基体21の外縁部に形成し、第１グローブ部65の一端部65a(係止爪部71)を中心側へと突出させることが好ましい。この場合、発光モジュール22を取り付ける光源取付部31の取付面31aに対して、グローブ取付部36が基体21の一端側に段差状に窪むこととなるので、この段差状のグローブ取付部36がグローブ25を介して外部に見えないようにする必要がある。
【００４６】
そのため、以上説明した一実施形態では、グローブ取付部36と対向する第１グローブ部65の一端部65aの肉厚を相対的に大きくして、グローブ取付部36を外部から視認されにくくし、電球形ランプ14、特にグローブ取付部36に対向する位置の見栄えを確保する。また、第１グローブ部65は、一端部65aから他端部65bに向かって内径が大きくなるように膨らんだ形状であることも、グローブ25を介してグローブ取付部36を外部から視認しにくくすることに寄与する。
【００４７】
一方で、発光部42から発せられた光を配光する第２グローブ部66については、電球形ランプ14の頂部である他端部66bへと一端部66aから徐々に肉厚を小さくして、グローブ25(第１グローブ部65)を透過する光をランプ軸方向(照明器具11の直下方向)へと徐々に増加させ、この方向の照度を向上できる。結果として、例えば図５に示すように、ダウンライトに適した配光特性を実現できる。なお、この図５では、１０００ｌｍ当たりの光度値(ｃｄ／１０００ｌｍ)を示す。
【００４８】
すなわち、第１グローブ部65と第２グローブ部66とのそれぞれの肉厚を制御して設定するだけで、電球形ランプ14の見栄えを確保しつつ、ランプ軸方向の照度を効率よく向上できる構成を、容易かつ安価に実現できる。
【００４９】
特に、第１グローブ部65を他端部65bから一端部65aへと肉厚が大きくなるように設けるので、グローブ取付部36と対向する第１グローブ部65の一端部65aおよびその近傍において外部からグローブ取付部36をより目視しにくくでき、見栄えをより向上できる。
【００５０】
第１グローブ部65の他端部65bを、発光モジュール22の発光部42から発せられた光と交差しない位置に配置したので、発光部42から発せられた光の配光に影響を与えることなく第１グローブ部65の肉厚を確保でき、グローブ取付部36と対向する第１グローブ部65の一端部65aおよびその近傍において外部からグローブ取付部36をより目視しにくくして、見栄えをより向上できる。
【００５１】
しかも、この第１グローブ部65の他端部65bは、発光モジュール22の基板41の実装面41aから最も突出する部材であるコネクタ51よりも第２グローブ部66寄りに配置したので、コネクタ51を第１グローブ部65によって外部から見えにくくできるとともに、このコネクタ51の影などが第２グローブ部66側から出射されることを抑制できる。
【００５２】
さらに、第２グローブ部66の他端部66bの肉厚を、第１グローブ部65のグローブ取付部36と対向する位置である一端部65aの１／２以下に設定したので、発光部42から発せられた光をランプ軸方向(照明器具11の直下方向)へとより効率よく放射させることができ、電球形ランプ14のランプ軸方向(照明器具11の直下方向)の照度をより効率よく向上できる。
【００５３】
第１グローブ部65を、一端部65aから他端部65bへと拡径された円筒状とするとともに、第２グローブ部66は、一端部66aから他端部66bへと縮径された半球状としたので、グローブ取付部36に対して、第１グローブ部65が一端部65aから他端部65bへと徐々に径方向に離間し、グローブ取付部36と第１グローブ部65との距離を確保できる。したがって、グローブ取付部36と対向する第１グローブ部65の一端部65aおよびその近傍において外部からグローブ取付部36をより目視しにくくして、見栄えをより向上できるとともに、第１グローブ部65および第２グローブ部66のそれぞれに成形時のアンダーカットが生じにくく、製造性をより向上でき、より安価に製造できる。
【００５４】
特に、グローブ25が拡散材を混入することで白色を呈するポリカーボネートからなるものである場合、第１グローブ部65の一端部65aの肉厚は２．０〜２．５ｍｍ、他端部65bの肉厚は１．４〜２．０ｍｍであり、第２グローブ部66の一端部66aの肉厚は１．４〜２．０ｍｍ、他端部66bの肉厚は０．９〜１．２ｍｍとすると、見栄えが良好で、かつ、ダウンライトとして優れた配光を有する電球形ランプ14を実現できる。
【００５５】
第１グローブ部65の透過率を第２グローブ部66の透過率よりも小さく設定したので、グローブ取付部36と対向する第１グローブ部65の一端部65aおよびその近傍において外部からグローブ取付部36をより目視しにくくでき、見栄えをより向上できる。
【００５６】
なお、上記一実施形態において、第１グローブ部65は、グローブ取付部36などが外部から視認されない肉厚に設定されていれば、一端部65aから他端部65bに亘って一定の肉厚としてもよい。
【００５７】
第１グローブ部65は、発光部42から発せられた光の配光に寄与しない部分であるため、例えば透過率が０(不透過)に設定されていてもよい。
【００５８】
光源としては、ＬＥＤチップを備えた発光部42以外でも、例えば有機ＥＬや半導体レーザなどの半導体固定素子を備えた発光部を用いてもよい。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
11    照明器具
12    器具本体
13    ソケット
14    電球形ランプ
21    基体
22    発光モジュール
24    口金
25    グローブ
26    点灯回路
28    凹部
31    光源取付部
31a   取付面
36    グローブ取付部
41    基板
41a   一面である実装面
41b   他面
42    光源としての発光部
51    部材であるコネクタ
65    第１グローブ部
65a   一端部
65b   他端部
66    第２グローブ部
66a   一端部
66b   他端部
【図１】
2014123522.tif 000003
【図２】
2014123522.tif 000004
【図３】
2014123522.tif 000005
【図４】
2014123522.tif 000006
【図５】
2014123522.tif 000007